【事件の表示】
　特願２０１３−５４４５５８「可撓性複合材料の非破壊試験」拒絶査定不服審判事件〔平成２４年　６月２１日国際公開、ＷＯ２０１２／０８２４７７、平成２６年　４月２４日国内公表、特表２０１４−５１０２５９、請求項の数（１１）〕について、次のとおり審決する。
【結　論】
　原査定を取り消す。
　本願の発明は、特許すべきものとする。
【理　由】
第１　手続の経緯
　本願は、平成２３年１２月７日（パリ条約による優先権主張　平成２２年１２月１７日　米国）を国際出願日とする出願であって、平成２６年８月２６日付けで拒絶理由が通知され、同年１２月１８日付けで意見書及び手続補正書が提出され、平成２７年３月１９日付けで拒絶査定（以下、「原査定」という。）されたところ、同年６月２９日に拒絶査定不服審判の請求がなされ、同時に手続補正がなされたものである。
　その後当審において平成２８年６月３０日付けで拒絶理由（以下、「当審拒絶理由１」という。）が通知され、同年９月３０日付けで意見書及び手続補正書が提出され、さらに当審において同年１２月８日付けで最後の拒絶理由（以下、「当審拒絶理由２」という。）が通知され、平成２９年１月２５日付けで意見書及び手続補正書が提出されたものである。
第２　本願発明
　本願の請求項１ないし１１に係る発明（以下、「本願発明１」ないし［本願発明１１」という。）は、平成２９年１月２５日に提出された手続補正書により補正（以下、「本件補正」という。）された特許請求の範囲の請求項１ないし１１に記載された事項により特定されるものと認められる。
　そのうち、本願発明１及び本願発明６は、分説してＡ）からＨ）の符号を付けると、以下の事項により特定される発明である。
「【請求項１】
Ａ）　可撓性のエラストマ複合材料の物品内の内部構造物における異常や、可撓性のエラストマ複合材料からなるタイヤ、ホース、またはベルトの物品間の内部構造物における差を試験する方法であって、
Ｂ）　ホルダまたは試験のための支持構造物によって固定された位置に前記可撓性のエラストマ複合材料の物品の一部を取り付け、
Ｃ）　前記物品を圧電の加速度計を有するタッパを用いてタッピングし、
Ｄ）　前記タッピングの衝撃の継続時間を電子回路により測定し、
Ｅ）　前記衝撃の継続時間と参照値との比較によってエラストマ母材材料の強化繊維構造物への浸透における差を示す
  方法。」
「【請求項６】
Ｆ）　歯付き動力伝達ベルトの一部を剛体の支持構造物上に配置されることで２つのベルトの歯の間のランド領域において支持し、
Ｇ）　所定の重さのタッパを用いて支持された前記ランド領域上をタッピングし、
Ｈ）　前記タッピングの衝撃の継続時間を表す値を測定する
　方法。」
第３　原査定の理由の概要
　この出願の下記の請求項に係る発明は、その出願（優先日）前に日本国内又は外国において、頒布された下記の刊行物に記載された発明又は電気通信回線を通じて公衆に利用可能となった発明に基いて、その出願（優先日）前にその発明の属する技術の分野における通常の知識を有する者が容易に発明をすることができたものであるから、特許法第２９条第２項の規定により特許を受けることができない。
　　　　　　　　　　　　　　　　　記　
・請求項１−１５
・引用例１：特開昭６３−５８１２４号公報
・引用例２：特開平９−１５８９８９号公報
・引用例３：特開平５−３３８７５２号公報
・引用例４：特開平４−２９６６４３号公報
　請求項１ないし１５に係る発明は、引用例１ないし４に記載された事項に基づいて、当業者が容易に発明をすることができたものである。
第４　当審による拒絶理由の概要
１　当審拒絶理由１の概要
（理由１）
　本願は、特許請求の範囲の記載が下記の点で不備のため、特許法第３６条第６項第２号に規定する要件を満たしていない。 
　　　　　　　　　　　　　　　　　記 
（１）請求項１において「前記物品を圧電の加速度計を用いてタッピングし、」とあることから、「圧電の加速度計」は加速度の測定を行いながら、物品に対して「タッピングの衝撃」を加えるものと認められ、すなわち、計測と駆動の二つの機能を有するものと認められるが、それがどのような構成によって実現されるのか不明であり、請求項１に係る発明が明確に把握できない。 
　請求項１の記載を引用する請求項２ないし７に係る発明についても同様である。 
　よって、請求項１ないし７に係る発明は、明確でない。 
（２）請求項２において「前記比較」と記載されている。そして、請求項２が引用する請求項１において、「参照値と比較する」と記載されていることから、請求項１には、動詞としての「比較」は記載されているが、名詞としての「比較」は記載されておらず、「前記比較」が何をさすのか不明確である。 
　同様のことは、請求項３についてもいえる。 
　よって、請求項２、及び、請求項３に係る発明は、明確でない。 
（３）請求項５において「前記取り付け」と記載されている。そして、請求項５が引用する請求項１において、「物品の一部を取り付け、」と記載されていることから、請求項１には、動詞としての「取り付け」は記載されているが、名詞としての「取り付け」は記載されておらず、「前記取り付け」が何をさすのか不明確である。 
　同様のことは、請求項７についてもいえる。 
　よって、請求項５、及び、請求項７に係る発明は、明確でない。 
（４）請求項５において、「前記物品に与圧をかける」とあるが、「与圧をかける」とは、どのような状態にすることをさすのか明確でない。また、「与圧をかける」とは、予め圧力をかけるという意味であるとも考えられるが、圧力のかけ方には様々な態様が想定され、この記載では、どのような状態にすることをさすのか不明である。 
　よって、請求項５に係る発明は、明確でない。 
（５）請求項６において、「前記応力」とあるが、請求項６が引用する請求項１には「応力」についての記載が存在しないことから、「前記応力」が何をさすのか不明である。 
　よって、請求項６に係る発明は、明確でない。 
（理由２）
　本願の下記の請求項に係る発明は、その出願（優先日）前日本国内又は外国において頒布された下記の刊行物に記載された発明又は電気通信回線を通じて公衆に利用可能となった発明に基いて、その出願（優先日）前にその発明の属する技術の分野における通常の知識を有する者が容易に発明をすることができたものであるから、特許法第２９条第２項の規定により特許を受けることができない。
　　　　　　　　　　　　　　　　　記 
・請求項１、２、４ないし１２、１４について
・引用例Ａ：特開平３−６８８４２号公報
・引用例Ｂ：特開昭６３−５８１２４号公報（上記原査定の理由における引用例１）
　要すれば、請求項１、２、４ないし１２、１４に係る発明は、引用例Ａに記載された事項に、引用例Ｂに記載された事項を適用することによって、当業者が容易に発明をすることができたものである。
２　当審拒絶理由２の概要
　本願は、特許請求の範囲の記載が下記の点で不備のため、特許法第３６条第６項第１号に規定する要件を満たしていない。 
　　　　　　　　　　　　　　　　　記 
・請求項６、８ないし１２について
　請求項６に係る発明に関して、本願の発明の詳細な説明には、「可撓性のエラストマ複合材料からなるタイヤ、ホース」「の物品の一部をプーリ上に配置」する点が記載されているとは認められず、また、ベルトの場合においても、ベルトの一部のみをプーリ上に配置して試験が行われる点が本願の発明の詳細な説明に記載されているとは認められない。 
　よって、請求項６及びそれに従属する請求項８〜１２に係る発明は、発明の詳細な説明に記載されたものとは認められない。
第５　当審の判断
１　進歩性について
　原査定の主引用例である引用例１に記載されている発明より、当審拒絶理由１の理由２で提示した引用例Ａに記載されている発明の方が、本願発明１及び本願発明６により近い技術であるといえることから、本願発明１及び本願発明６の進歩性について、当審拒絶理由１の理由２から判断することとする。
（１）　当審拒絶理由１の理由２について
ア　引用例に記載された事項 
（ア）　引用例Ａ 
　引用例Ａには、以下の記載がある（下線は当審において付与。以下、同様。）。 
（引Ａ−ア）　第１頁左下欄第４行−第１６行 
「２．特許請求の範囲 
（１）．
製品の表面に打撃具にて打撃を与え、打撃に伴う打撃具と製品との接触時間を力センサーにて検出し、該接触時間の長短から、製品の内部性状を把握する
方法
（２）．コンベアと、該コンベアを駆動する回転駆動源と、該コンベア上に載置した製品の
該コンベア上の位置を検出し、
（引Ａ−イ）　第１頁右下欄第１行−第８行 
「〔従来の技術及びその課題〕 
　例えばプラスチック製品、ブレーキ用のデイスクパツド、ライニング等の
複合材料製品
（引Ａ−ウ）　第２頁左上欄第３行−第９行 
「〔課題を解決するための手段］ 
　この発明は、このような従来の技術的課題に鑑みてなされたものであり、その製品検査方法の構成は、製品の表面に打撃具にて打撃を与え、打撃に伴う打撃具と製品との接触時間を力センサーにて検出し、該接触時間の長短から、製品の内部性状を把握する製品検査方法である。」 
（引Ａ−エ）　第３頁右下欄第３行−第１４行 
「　このような検査方法の原理は、次のとおりである。すなわち、第１０図に相手部材がスチールの場合（ａ）と
ゴムの場合
　　接触時間∝１／硬さ 
　　
接触時間＝力の作用時間
となる。従つて、製品２の
接触時間が所定よりも長い場合には、軟らかく、ひび割れ、内部ふくれ、穿孔等の発生が推定
（引Ａ−オ）　第４頁右下欄第９行−第１１行 
「　（３）．製品の複数箇所に打撃を与えることにより、ひび割れ等の不良箇所を特定でき、不良品発生の原因を追求するための資料ともなる。」（当審注：（３）は○の中に３が記載されたもの。） 
（引Ａ−カ）　第５図−第８図 
「
」
（引Ａ−キ）　上記（引Ａ−イ）、（引Ａ−ウ）より、引用例Ａに記載された発明が、「複合材料製品」を検査対象としていることは明らかであり、上記（引Ａ−エ）において、「ゴムの場合」の実験が行われていることから、引用例Ａに係る発明の検査対象には、ゴムを含む複合材料製品も含まれると認められる。 
　よって、上記（引Ａ−ア）ないし（引Ａ−キ）を含む引用例Ａ全体の記載を参照し、ａ）ないしｃ）の符号を付与して整理すると、引用例Ａには、 
 「ａ）　ゴムを含む複合材料製品の表面に打撃具にて打撃を与え、
ｂ）　打撃に伴う打撃具と製品との力の作用時間を力センサーにて検出し、
ｃ）　該力の作用時間の長短から、製品の内部性状を把握する
方法。」 
の発明（以下、「引用発明Ａ」という。）が記載されている。 
　
（イ）　引用例Ｂについて 
　引用例Ｂには、以下の記載がある。 
（引Ｂ−ア）　第１頁左下欄第４行−第９行 
 「２．特許請求の範囲 
１．力検出センサーまたは加速度検出センサーを取付けた打撃用のハンマーによる被検査物の打撃時に、力または加速度のパルス波形のパルス幅を検出するパルス幅計算回路を設けた打撃式構造変化検出装置。 
  
（引Ｂ−イ）　第２頁右下欄第７行−第１２行 
「　以下、上記の構成からなる本発明の構造変化検出装置の原理を説明すると、第２図に示すごとく、打撃用のハンマー１は質量としてモデル化でき、被検査物１０はバネとしてモデル化できる。ここでハンマー１の質量をｍとし、バネのバネ定数をＫとする。」 
（引Ｂ−ウ）　第３頁左上欄第１２行−右上欄第２行 
「　一方、ハンマー１が被検査物１０に接触している時間Ｔは、変位ｘが正に動いて再び元の位置にもどる時間であるから、（２）式のｘ＝０より 
Ｔ＝π／ω。＝π√ｍ／Ｋ・・・　（５）　（当審注：「ｍ／Ｋ」は√の中にある。）となる。 
　ただし、πは円周率である。 
　したがって、接触時間Ｔは、ハンマー１の質量ｍと被検査物１０のバネ定数Ｋのみによって決まり、打撃の強さ、即ち速度Ｖによっては変化しない。」 
（引Ｂ−エ）　第３頁右上欄第７行−第１０行 
「　したがって、力検出センサー２、または加速度検出センサーの出力電気信号の波形より、接触時間Ｔを測定すれば、（５）式より被検査物１０のバネ定数Ｋが測定できることになる。」 
イ　本願発明１について
（ア）　対比
　本願発明１と引用発明Ａとを対比する。
ａ　本願発明１のＡ）の特定事項について
（ａ）　引用発明Ａの「ゴムを含む複合材料製品」は、本願発明１の「エラストマ複合材料の物品」に相当する。
（ｂ）　引用発明Ａの「製品の内部性状」は、製品の内部の状態を指すことは当業者にとって明らかである。そして、「製品の内部性状を把握する」ことが、内部の状態の異常の有無の検出を目的としていることは、当業者にとって明らかであるから、引用発明Ａの「製品の内部性状を把握する方法」は、本願発明１の「物品内の内部構造物における異常を試験する方法」に相当する。
（ｃ）　よって、引用発明Ａの「ゴムを含む複合材料製品の」「内部性状を把握する方法」は、本願発明１の「エラストマ複合材料の物品内の内部構造物における異常を試験する方法」に相当する。
ｂ　本願発明１のＢ）の特定事項について
　引用発明Ａは、本願発明１のＢ）の特定事項を具備していない。　
ｃ　本願発明１のＣ）の特定事項について
（ａ）　引用発明Ａの「打撃具」は、本願発明１の「タッパ」に相当し、引用発明Ａの「打撃を与え」ることは、本願発明１の「タッピング」することに相当する。
（ｂ）　よって、引用発明Ａの「ゴムを含む複合材料製品の表面に打撃具にて打撃を与え」ることは、本願発明１の「前記物品を」「タッパを用いて」「タッピング」することに相当する。
ｄ　本願発明１のＤ）の特定事項について
（ａ）　本願発明１の「タッピングの衝撃の継続時間」は、明細書の段落【００１８】における「好ましい試験方法では、可撓性複合材料が圧電の加速度計をタッピングの重さとして用いてタップされ、そして電子回路が
その重さとサンプルの接触時間
　したがって、引用発明Ａの「打撃に伴う打撃具と製品との力の作用時間」は、本願発明１の「タッピングの衝撃の継続時間」に相当する。
（ｂ）　引用発明Ａにおける「検出」することは、本願発明１における「測定」することに相当する。
（ｃ）　以上のことから、引用発明Ａの「打撃に伴う打撃具と製品との力の作用時間を」「検出」することは、本願発明１の「タッピングの衝撃の継続時間を」「測定」することに相当する。
ｅ　本願発明１のＥ）の特定事項について
（ａ）　引用発明Ａは、「力の作用時間の長短」に基づいて把握を行うものであるが、「長短」に基づいて把握を行うのであれば、何らかの長短の判断の基準となる値、すなわち、参照値との比較が行われ、その比較の結果、把握が行われることは当業者にとって明らかである。
（ｂ）　また、引用発明Ａは、「把握」が行われる過程において、上記の比較の結果が何らかの形で示されることも明らかであるから、引用発明Ａの「把握する」は、本願発明１の「示す」に相当する。
　よって、引用発明Ａの「力の作用時間の長短から」「把握する」ことは、本願発明１の「衝撃の継続時間と参照値との比較によって」「示す」ことに相当する。
（ｃ）　引用発明Ａの「製品の内部性状」は、製品の内部の状態といえ、また、本願発明１の「エラストマ母材材料の強化繊維構造物への浸透における差」も、「エラストマ複合材料の物品内の内部構造物」の状態といえるから、引用発明Ａの「力の作用時間の長短から、製品の内部性状を把握する」ことと、本願発明１の「衝撃の継続時間と参照値との比較によってエラストマ母材材料の強化繊維構造物への浸透における差を示す」ことは、「衝撃の継続時間と参照値との比較によってエラストマ複合材料の物品内の内部構造物の状態を示す」点で共通する。
　よって、本願発明１と引用発明Ａは、以下の点で一致する。
＜一致点＞
　エラストマ複合材料の物品内の内部構造物における異常を試験する方法であって、
　前記物品をタッパを用いてタッピングし、
  前記タッピングの衝撃の継続時間を測定し、
　前記タッピングの衝撃の継続時間と参照値との比較によってエラストマ複合材料の物品内の内部構造物の状態を示す
　方法。
　そして、以下の点で、両者は相違する。
＜相違点１＞
　エラストマ複合材料の物品をタッピングするにあたって、本願発明１は、エラストマ複合材料の物品が可撓性であり、ホルダまたは試験のための支持構造物によって固定された位置に前記可撓性のエラストマ複合材料の物品の一部を取り付けるのに対して、引用発明Ａは、そのような構成を有さない点。
＜相違点２＞
　タッパに関して、本願発明１は、圧電の加速度計を有するタッパを用いるのに対して、引用発明Ａは、その点が不明である点。
＜相違点３＞
　タッピングの衝撃の継続時間の測定に関して、本願発明１は、電子回路により測定するのに対して、引用発明Ａは、その点が不明である点。
＜相違点４＞
　タッピングの衝撃の継続時間により示される内部構造物の状態が、本願発明１は、エラストマ母材材料の強化繊維構造物への浸透における差であるのに対して、引用発明Ａでは、その点が不明である点。
（イ）　判断
　上記した各相違点のうち、まず、相違点４について、以下に検討する。
　引用例Ｂには、上記「ア　引用例に記載された事項」「（イ）　引用例Ｂについて」に示した事項が記載されている。
　しかしながら、引用例Ｂには、本願発明１の上記相違点４に係る構成について、記載も示唆もされておらず、また、上記相違点４に係る構成が、本願出願（優先日）前周知であることを示す根拠もない。
　してみると、引用例Ａ及び引用例Ｂに接した当業者といえども、上記相違点４に係る本願発明１の発明特定事項を想起することができない。
（ウ）　小括
　よって、本願発明１の、その余の相違点に係る構成について検討するまでもなく、本願発明１は、引用例Ａ及び引用例Ｂに記載された事項に基づいて、当業者が容易に発明をすることができたものとはいえない。
ウ　本願発明２ないし５について
　本願発明２ないし５は、本願発明１の発明特定事項をすべて含み、本願発明１をさらに限定したものであるので、本願発明１と同様に、引用例Ａ及び引用例Ｂに記載された事項に基づいて、当業者が容易に発明をすることができたものとはいえない。
エ　本願発明６について
（ア）　対比
　本願発明６と引用発明Ａとを対比する。
ａ　本願発明６のＦ）及びＧ）の特定事項について
（ａ）　本願発明６の歯付き動力伝達ベルトは、ゴムを含む複合材料製品といえるから、引用発明Ａの「ゴムを含む複合材料製品」と、本願発明６の「歯付き動力伝達ベルト」は、「ゴムを含む複合材料製品」という点で共通する。
（ｂ）　引用発明Ａの「打撃具」は、本願発明６の「タッパ」に相当し、引用発明Ａの「打撃を与え」ることは、本願発明６の「タッピング」することに相当する。
（ｃ）　よって、引用発明Ａの「打撃具にて打撃を与え」ることは、本願発明６の「タッパを用いて」「タッピング」することに相当する。
（ｄ）　引用発明Ａの「ゴムを含む複合材料製品」の「表面」と、本願発明６の「歯付き動力伝達ベルトの」「支持された」「ランド領域上」は、タッピングを行うための「ゴムを含む複合材料製品」の「対象部位」である点で共通する。
（ｅ）　よって、本願発明６と引用発明Ａは、「タッパを用いてゴムを含む複合材料製品の対象部位をタッピング」する点で共通する。
ｂ　本願発明６のＨ）の特定事項について
（ａ）　本願発明６の「タッピングの衝撃の継続時間」は、上記「イ　本願発明１について」「（ア）　対比」「ｄ　本願発明１のＤ）の特定事項について」「（ａ）」において検討したように、引用発明Ａの「打撃に伴う打撃具と製品との力の作用時間」と同義のものといえる。
　よって、引用発明Ａの「打撃に伴う打撃具と製品との力の作用時間」は、本願発明６の「タッピングの衝撃の継続時間」に相当する。
（ｂ）　引用発明Ａの「時間を」「検出」することは、本願発明６の「時間を表す値を測定する」ことに相当する。
（ｃ）　以上のことから、引用発明Ａの「打撃に伴う打撃具と製品との力の作用時間を」「検出」することは、本願発明６の「タッピングの衝撃の継続時間を表す値を測定する」ことに相当する。
　よって、本願発明６と引用発明Ａは、以下の点で一致する。
＜一致点＞
　タッパを用いてゴムを含む複合材料製品の対象部位をタッピングし、
　タッピングの衝撃の継続時間を表す値を測定する
  方法。
　そして、以下の点で、両者は相違する。
＜相違点５＞
　ゴムを含む複合材料製品のタッピングを行うにあたって、本願発明６は、ゴムを含む複合材料製品が歯付き動力伝達ベルトであり、該ベルトの一部を剛体の支持構造物上に配置されることで２つのベルトの歯の間のランド領域において支持し、支持された前記ランド領域上をタッピングするのに対して、引用発明Ａは、そのような構成とはなっていない点。
＜相違点６＞
　タッパに関して、本願発明６は、所定の重さのタッパを用いているのに対して、引用発明Ａは、その点が不明である点。
（イ）　判断
　上記した各相違点のうち、まず、相違点５について、以下に検討する。
　引用例Ｂには、上記「ア　引用例に記載された事項」「（イ）　引用例Ｂについて」に示した事項が記載されている。
　しかしながら、引用例Ｂには、本願発明６の上記相違点５に係る構成について、記載も示唆もされておらず、また、上記相違点５に係る構成が、本願出願（優先日）前周知であることを示す根拠もない。
　してみると、引用例Ａ及び引用例Ｂに接した当業者といえども、上記相違点５に係る本願発明６の発明特定事項を想起することができない。
（ウ）　小括
　よって、本願発明６の、その余の相違点に係る構成について検討するまでもなく、本願発明６は、引用例Ａ及び引用例Ｂに記載された事項に基づいて、当業者が容易に発明をすることができたものとはいえない。
ウ　本願発明７ないし１１について
　本願発明７ないし１１は、本願発明６の発明特定事項をすべて含み、本願発明６をさらに限定したものであるので、本願発明６と同様に、引用例Ａ及び引用例Ｂに記載された事項に基づいて、当業者が容易に発明をすることができたものとはいえない。
カ　まとめ
　以上のことから、本願発明１ないし１１は、引用例Ａ及び引用例Ｂに記載された事項に基づいて、当業者が容易に発明をすることができたものとはいえないことから、当審拒絶理由１の理由２によっては、本願を拒絶することができない。
（２）　原査定の理由について
ア　各引用例の記載事項
　各引用例の記載事項は以下のとおりである。
（ア）　引用例１
　引用例１は、当審拒絶理由２で引用した引用例Ｂに相当し、上記「（１）　当審拒絶理由１の理由２について」「ア　引用例に記載された事項」「（イ）　引用例Ｂについて」において指摘した事項が記載されている。
（イ）　引用例２
　引用例２には、動力伝動用ベルトの心線のホツレ性と耐屈曲疲労性を評価するにあたって、空隙面積の比率を指標として評価する点が記載されている（【００１４】、【００２８】−【００３０】参照。）。
（ウ）　引用例３
　引用例３には、コンベヤベルトにおいて、スチールコード内部へのゴム等の浸透性を向上させる技術思想が記載されている（【０００１】参照）。
（エ）　引用例４
　引用例４には、画像処理を用いたベルトの外面欠陥の検査に関する事項が記載されている（【０００１】、【０００２】、【００１５】、【００１６】参照）。
イ　本願発明１について
（ア）  対比
　本願発明１と引用例１に記載された発明とは、少なくとも、以下の点において相違する。
＜相違点４＞
　タッピングの衝撃の継続時間により示される内部構造物の状態が、本願発明１は、エラストマ母材材料の強化繊維構造物への浸透における差であるのに対して、引用例１に記載された発明は、そのような構成となっていない点。
（イ）　判断
　上記相違点４について検討する。
　上記引用例２ないし４のいずれにも、本願発明１の上記相違点４に係る構成について、記載も示唆もされておらず、また、上記相違点６に係る構成が、本願出願（優先日）前周知であることを示す根拠もない。
　してみると、引用例１ないし４に接した当業者といえども、上記相違点４に係る本願発明１の発明特定事項を想起することができない。
（ウ）　小括
　よって、本願発明１の、その余の相違点に係る構成について検討するまでもなく、本願発明１は、引用例１ないし４に記載された事項に基づいて、当業者が容易に発明をすることができたものとはいえない。
ウ　本願発明２ないし５について
　本願発明２いし５は、本願発明１の発明特定事項をすべて含み、本願発明１をさらに限定したものであるので、本願発明１と同様に、引用例１ないし４に記載された事項に基づいて、当業者が容易に発明をすることができたものとはいえない。
エ　本願発明６について
（ア）　対比
　本願発明６と引用例１に記載された発明とは、少なくとも、以下の点において相違する。
＜相違点５＞
　ゴムを含む複合材料製品のタッピングを行うにあたって、本願発明６は、ゴムを含む複合材料製品が歯付き動力伝達ベルトであり、該ベルトの一部を剛体の支持構造物上に配置されることで２つのベルトの歯の間のランド領域において支持し、支持された前記ランド領域上をタッピングするのに対して、引用例１に記載された発明は、そのような構成とはなっていない点。
（イ）　判断
　上記相違点５について検討する。
　上記引用例２ないし４のいずれにも、本願発明６の上記相違点１に係る構成について、記載も示唆もされておらず、また、上記相違点１に係る構成が、本願出願（優先日）前周知であることを示す根拠もない。
　してみると、引用例１ないし４に接した当業者といえども、上記相違点５に係る本願発明６の発明特定事項を想起することができない。
（ウ）　小括
　よって、本願発明６の、その余の相違点に係る構成について検討するまでもなく、本願発明６は、引用例１ないし４に記載された事項に基づいて、当業者が容易に発明をすることができたものとはいえない。
オ　本願発明７ないし１１について
　本願発明７ないし１１は、本願発明６の発明特定事項をすべて含み、本願発明６をさらに限定したものであるので、本願発明６と同様に、引用例１ないし４に記載された事項に基づいて、当業者が容易に発明をすることができたものとはいえない。
カ　まとめ
　以上のことから、本願発明１ないし１１は、引用例１ないし４に記載された事項に基づいて、当業者が容易に発明をすることができたものとはいえない。
　よって、原査定の理由によっては、本願を拒絶することはできない。
２　記載不備について
（１）　当審拒絶理由１の理由１について
理由１（１）について
　本件補正後の請求項１においては、「圧電の加速度計を用いてタッピングし」の記載は「圧電の加速度計を有するタッパを用いてタッピングし」に補正されており、記載が明確になったことから、当審拒絶理由１の理由１（１）は解消した。
理由１（２）について
　本件補正後の請求項１においては、動詞の「比較する」が名詞の「比較」に補正されており、前記請求項１の記載を引用する本件補正後の請求項２における「前記比較」の記載が何を指すのかが明確になったことから、当審拒絶理由１の理由１（２）は解消した。
理由１（３）について
　本件補正後の請求項４及び５においては、名詞の「取り付け」が「取り付けること」に補正されており、それらの「取り付けること」が、該請求項４及び５が引用する、本件補正後の請求項１における動詞の「取り付け」を指すものであることが明確になったことから、当審拒絶理由１の理由１（３）は解消した。
理由１（４）について
　本件補正後においては、理由１（４）の指摘を行った請求項は削除されたことにより、当審拒絶理由１の理由１（４）は解消した。
理由１（５）について
　本件補正後においては、理由１（５）の指摘を行った請求項は削除され、補正後の請求項４において「前記取り付けることが前記物品を屈曲させること」との限定がなされた。
　その結果、明確でない記載が残る請求項はなくなり、当審拒絶理由１の理由１（５）は解消した。
　以上のことから、当審拒絶理由１の理由１（１）ないし（５）は解消した。
（２）　当審拒絶理由２について
　本件補正により、補正前の請求項６の記載は削除された。
　その結果、当審拒絶理由２は解消した。
　以上のことから、当審拒絶理由２は、解消した。
第６　むすび
　以上のとおり、原査定の拒絶理由、当審による拒絶理由によっては、本願を拒絶することはできない。
　また、他に本願を拒絶すべき理由を発見しない。
　よって、結論のとおり審決する。